(57)【要約】本発明は、コンポジットビデオベースバンド信号からクロミナンス信号を分離するための方法に関する。分離を改善するため、水平及び垂直方向において空間櫛型フィルタ手段により、並びに該クロミナンス信号を得るために垂直方向及び時間的にフィールドコムフィルタ手段により、コンポジットビデオベースバンド信号がいずれかの順序で連続してフィルタリングされることが提案される。これにより、異なる垂直周波数での空間及び時間フィルタリングの利点が結合される。本発明は、同様に、提案される方法を実現するためのフィルタ手段を有するクロミナンス−ルミナンスセパレータに関する。
2006513618.tif 000002
【特許請求の範囲】
【請求項１】
コンポジットビデオベースバンド信号からクロミナンス信号を分離するための方法であって、前記方法は、前記クロミナンス信号を得るため、水平及び垂直方法において空間櫛型フィルタ手段により、並びに垂直方向及び時間的においてフィールドコムフィルタ手段により、いずれかの順序で前記コンポジットベースバンド信号をフィルタリングするステップを有する、
ことを特徴とする方法。
【請求項２】
前記コンポジットビデオベースバンド信号は、少なくとも１つの空間櫛型フィルタによりはじめにフィルタリングされ、次いで、空間的にフィルタリングされた信号は、フィールドコムフィルタによりフィルタリングされる、
請求項１記載の方法。
【請求項３】
前記コンポジットビデオベースバンド信号を第一の信号を得るために櫛型フィルタで空間的にフィルタリングするステップ、前記コンポジットビデオベースバンド信号を遅延し、該遅延された信号を第二の信号を得るために櫛型フィルタで空間的にフィルタリングするステップ、並びに前記クロミナンス信号を得るため前記第一及び第二の信号をフィールドコムフィルタでフィルタリングするステップを有する、
請求項１記載の方法。
【請求項４】
前記コンポジットビデオベースバンド信号を第一の信号を得るために櫛型フィルタで空間的にフィルタリングするステップ、前記第一の信号を第二の信号得るために遅延するステップ、並びに前記第一及び第二の信号を前記クロミナンス信号を得るためにフィールドコムフィルタでフィルタリングするステップ、
請求項１記載の方法。
【請求項５】
前記コンポジットビデオベースバンド信号により表される画像間の動きの存在を検出するステップ、及び前記画像間の検出された動きのケースで前記フィールドコムフィルタによるフィルタリングをバイパスするステップを更に有する、
請求項１記載の方法。
【請求項６】
前記コンポジットビデオベースバンド信号から前記得られたクロミナンス信号を減算することで、前記コンポジットビデオベースバンド信号からルミナンス信号を分離するステップを更に備える、
請求項１記載の方法。
【請求項７】
前記コンポジットビデオベースバンド信号をフィールドコムフィルタでフィルタリングし、前記コンポジットビデオベースバンド信号から前記フィールドコムフィルタでフィルタリングされた信号を減算することで、前記コンポジットビデオベースバンド信号からルミナンス信号を分離するステップを更に有する、
請求項１記載の方法。
【請求項８】
ピークフィルタによるフィルタリングを前記減算から得られたルミナンス信号に適用するステップを更に有する、
請求項７記載の方法。
【請求項９】
コンポジットビデオベースバンド信号からクロミナンス信号を分離するためのクロミナンス−ルミナンスセパレータであって、
前記セパレータは、垂直方向及び水平方向で信号をフィルタリングするための空間櫛型フィルタ手段と、垂直方向及び時間的に信号をフィルタリングするためのフィールドコムフィルタ手段とを有し、
前記クロミナンス−ルミナンスセパレータにより受信されたコンポジットビデオベースバンド信号は、前記空間櫛型フィルタ手段及び前記フィールドコムフィルタ手段によりいずれかの順序で連続して処理される、
ことを特徴とするクロミナンス−ルミナンスセパレータ。
【請求項１０】
請求項９記載のクロミナンス−ルミナンスセパレータを有する画像処理装置。
【請求項１１】
当該画像処理装置はテレビジョンである、
請求項１０記載の画像処理装置。
【発明の詳細な説明】
【技術分野】
【０００１】
本発明は、コンポジットビデオベースバンド信号からクロミナンス信号を分離するためのクロミナンス−ルミナンスセパレータに関する。
【背景技術】
【０００２】
コンポジットビデオベースバンド信号の形式でカラーピクチャを移動させるため、クロミナンス及びルミナンス信号を送信することが当該技術分野から知られている。かかるコンポジットビデオベースバンド信号を形成している周波数がインタリーブされたクロミナンス及びルミナンス信号は、カラーテレビジョンシステム向けに、たとえばＰＡＬ（Phase-Alternation  Line）又はＮＴＳＣ（National  Standard  Systems  Committee）規格で定義されている。
【０００３】
受信機は、原画像を再構成して表示することができるために、コンポジットビデオベースバンド信号におけるルミナンス及びクロミナンス信号を分離するためのフィルタ手段を有する必要がある。コンポジットビデオベースバンド信号からクロミナンス信号を分離するため、従来のＴＶセットは、たとえば、通常の二次元（２Ｄ）櫛型フィルタを有しており、この櫛型フィルタは、垂直及び水平のディメンジョンで受信されたコンポジットビデオベースバンド信号をフィルタリングする。空間櫛型フィルタは、このため、２ライン又は４ラインにわたってフィルタリングを実行する非再帰的なハイパスフィルタを有しており、ハイパスの出力は、バンドパスを介してクロミナンス信号として供給される。かかる空間櫛型フィルタは、たとえばChristian  Hentchelによる“Video  Signalverarbeitung”,  ISBN  3-519-06250-X,  pp.96-119に記載されている。空間櫛型フィルタは、信号特性へのフィルタ特性の良好な適合を可能にし、これにより所定のイメージコンテンツについてより効率的なルミナンス及びクロミナンス信号の分離を可能にする点で、シンプルなバンドパス及びノッチフィルタの組み合わせに対して利点を有する。
【０００４】
図１は、０Ｈｚに等しい時間周波数を有する画像、すなわち動かない画像について、Ｆx／Ｆy平面におけるＰＡＬについて空間櫛型フィルタのクロマバンドパスエリアを示す図である。ｘ軸は、水平方向におけるピクチャ幅当たりのサイクル（cyc/pw）での周波数Ｆxを表し、ｙ軸は、垂直方向におけるピクチャ高さ当たりのサイクル（cyc/pw）での周波数Ｆyを表している。この図は、空間櫛型フィルタによりクロマであるとして誤ってフィルタ出力された周波数の組み合わせを示している。色付けされた領域は、約−２３４cyc/ph、−７８cyc/ph、７８cyc/ph及び２３４cyc/phのＦy周波数で、約−２８４cyc/pw及び２８４cyc/pwのＦx周波数について特に表れている。サークルは、カラーサブキャリアの空間周波数を示している。ハッチングされた領域は、クロマであるとして誤って解釈された空間周波数を示している。後者の現象は、クロスカラーとも呼ばれる。色付けされた領域のそれぞれは、垂直方向においてサークル及び接続されたハッチングされた部分を有しており、それぞれのハッチングされた部分はおよそ同じサイズを有していることがわかる。
【０００５】
空間櫛型フィルタの代替として、フィールドコムフィルタのような時間櫛型フィルタは、コンポジットビデオベースバンド信号からクロミナンス信号を分離するために利用することができる。コンポジットビデオベースバンド信号からクロミナンス信号を分離するためのＰＡＬ用のフィールドコムフィルタは、先に引用された文献“Video  Signalverarbeitung”に同様に記載されている。このフィールドコムフィルタは、３１２ラインの遅延により垂直方向でフィルタリングを行い、更に時間方向でフィルタリングを行う。フィルタリングは、２ライン及び２フィールドにわたり実行される。
【０００６】
図２は、動きのない画像向けにＦx／Ｆy平面でのかかるフィールドコムフィルタのクロマバンドパスエリアを示す図である。この図の構造は、図１の構造に対応しており、色付けされた領域は、同じ周波数の組み合わせで表れている。しかし、一方で、フィールドコムフィルタは、対応する色付けされた領域が垂直方向でサークルのみを有し、ハッチングされた部分を有さないので、±７８cyc/phの近くで空間櫛型フィルタよりも明らかに良好に実行することがわかる。他方で、±２３４cyc/phの近くで色付けされた領域のハッチングされた部分は、空間櫛型フィルタによるよりも垂直方向で大きく、フィールドコムフィルタは、これら周波数領域での解像度を低減する。
【０００７】
先に引用された文献“Video  Signalverarbeitung”は、別のタイプの時間櫛型フィルタとしてフレームコムフィルタを更に記載している。ＰＡＬ用のフレームコムフィルタは、２ライン及び４ラインにわたるフィルタリングを実行するものであって、移動しない画像向けにクロスカラーの完全な除去を可能にする。この類のフィルタは、より大きな容量のメモリを必要とし、したがって高価であるという問題点を有する。
【０００８】
コンポジットビデオベースバンド信号からクロミナンス信号を分離するために利用されるフィルタリングは、異なるフィールド間で検出された動きの量に依存した適応的な方式で有利にも使用される。アダプティブフィルタリングでは、動きのない画像のケースとは異なる種類のフィルタリングが検出された動きのケースで使用される。アダプティブフィルタリングでは、ＰＡＬ用のフレームコムフィルタは、動きが第一のフィールドと４つのフィールドにより遅延されたフィールドの間でのみ検出されるという更なる問題点を有する。結果として、フィールドコムフィルタのケースにおけるように、連続するフィールド間の変化が検出されない。
【０００９】
文献ＵＳ５，５０２，５０９号は、画像における動きの量を考慮して、空間櫛型フィルタ及び時間櫛型フィルタを並列に利用する分離器を記載している。２Ｄアダプティブフィルタは、空間櫛型フィルタとして使用され、フレームコムフィルタが時間フィルタとして使用される。図３には、このアプローチの原理が示されている。
【００１０】
図３は、加算ポイント３１、空間フィルタ３２、時間フィルタ３３を有するブロック図である。受信されたコンポジットビデオベースバンド信号ＣＶＢＳは、検出された画像における動きに依存して、加算ポイント３１に供給され、更には第一のスイッチ３４を介して、空間フィルタ３２又は時間フィルタ３３に供給される。ＣＶＢＳが供給されるそれぞれのフィルタ３２，３３の出力は、クロミナンス信号として第二のスイッチ３５を介して出力される。供給されたクロミナンス信号は、ＣＶＢＳにおけるルミナンス信号を同様に得るため、更に加算ポイント３１でオリジナルのＣＶＢＳから減算される。フィルタリングは、空間フィルタ３２により排他的に実行されるか、時間フィルタ３３により排他的に実行される必要がない。文献ＵＳ５，５０２，５０９号は、たとえば、同時に両方のフィルタ３２，３３にＣＶＢＳを提供し、出力信号を画像における検出された動き量に依存した比率で混合することを提案している。
【発明の開示】
【発明が解決しようとする課題】
【００１１】
このアプローチは、フィルタリングを画像における異なる動き量に適合させるものであるが、画像、たとえば動きのない画像における所与の動き量について全ての垂直周波数についてクロスカラーリングを最小にすることができない。したがって、入力信号は、幾つかの空間周波数、典型的には±２３４cyc/phの垂直周波数について誤ってデコードされる。
【課題を解決するための手段】
【００１２】
本発明の目的は、コンポジットビデオベースバンド信号からクロミナンス信号の改善された、シンプルな分離を可能にすることである。本発明の目的は、動きのない画像においてクロスカラーリングを低減することにある。
【００１３】
上記目的は、水平及び垂直方向に空間櫛型フィルタ手段により、並びに垂直及び時間方向でフィールドコムフィルタ手段により、コンポジットビデオベースバンド信号からクロミナンス信号を分離するため、連続的にコンポジットビデオベースバンド信号をフィルタリングするステップを有する方法による本発明に従って達成される。上記目的は、提案される方法を実現する、空間櫛型フィルタ手段及びフィールドコムフィルタ手段を有するクロミナンス−ルミナンスセパレータにより同様に達成される。空間櫛型フィルタ手段及びフィールドコムフィルタ手段をコンポジットビデオベースバンド信号に適用する順序は固定されない。
【００１４】
本発明は、所定の垂直周波数について空間櫛型フィルタでフィルタリングを行うことの利点と他の垂直周波数についてフィールドコムフィルタでフィルタリングを行うことの利点とを組み合わせることが望まれる考慮から進められている。これは、受信されたコンポジットビデオベースバンド信号に関する提案される連続的な空間及び時間櫛型フィルタのフィルタリングにより達成することができる。誤って復号化された信号の量、すなわち、ルミナンス信号を構成するときでさえクロミナンス信号として解釈される信号の量を低減することは、本発明の利点である。
【００１５】
本発明の好適な実施の形態は、従属の請求項から明らかとなる。
本発明は、特に、排他的ではないが、ＰＡＬ及びＮＴＳＣ向けに利用されるフィールドコムフィルタを補足するために使用することができる。本発明は、特に、排他的ではないが、たとえばＴＶセット、ＤＶＤプレーヤ、ＰＣ−ＴＶカード等でＹＵＶ（ルミナンス／クロミナンス）又はＲＧＢ（赤、緑、青）を得るため、コンポジットビデオベースバンド信号が処理される必要があるアプリケーションで更に利用することができる。
本発明は、例を通して添付図面を参照して更に詳細に記載される。
【発明を実施するための最良の形態】
【００１６】
図１〜図３は、既に先に記載されている。
図４は、本発明に係るクロミナンス−ルミナンスセパレータの実施の形態の原理を例示するブロック図である。
【００１７】
セパレータの入力は、コンポジットビデオベースバンド信号ＣＶＢＳが供給されるものであって、一方で加算ポイント４１に接続され、他方で空間フィルタ４２の入力に接続されている。空間フィルタ４２の出力は、スイッチ４４に固定的に接続されており、このスイッチは、さらに、時間フィルタ４３の入力に接続されるか、又は第二のスイッチ４５に接続されている。第二のスイッチ４５は、加算ポイント４１、クロミナンス信号のためのセパレータの出力に固定的に接続されており、さらに、第一のスイッチ４４に接続されるか、又は時間フィルタ４３の出力に接続される。加算ポイント４１の出力は、ルミナンス信号のためにセパレータの出力に接続されている。時間フィルタ４３は、たとえば、時間フィルタリングのみを適用するフレームコムフィルタ、若しくは時間及び垂直フィルタリングを適用するフィールドコムフィルタとすることができる。さらに、動き検出回路が提供され、この回路は図示されていない。動き検出回路の出力は、両方のスイッチ４４，４５のそれぞれの制御入力に接続されている。
【００１８】
ＣＶＢＳは、セパレータに供給されるものであって、加算ポイント４１に送出され、空間フィルタ４２に送出される。空間フィルタ４２は、信号を空間的にフィルタリングする。
【００１９】
動き検出回路により現在の画像で動きが検出されないケースでは、両方のスイッチ４４，４５は、時間フィルタ４３に接続されている。空間的にフィルタリングされた信号は、スイッチ４４を介して時間フィルタ４３に供給され、この時間フィルタでは、空間的にフィルタリングされた信号は更に少なくとも時間的にフィルタリングされる。空間的及び時間的にフィルタリングされたＣＶＢＳは、スイッチ４５を介して、セパレータの対応する出力にクロミナンス信号として供給される。空間的かつ時間的にフィルタリングされたＣＶＢＳは、さらに、スイッチ４５を介して加算ポイント４１に供給され、この加算ポイントでは、空間的かつ時間的にフィルタリングされたＣＶＢＳは、オリジナルのＣＶＢＳから減算され、差は、セパレータの対応する出力でルミナンス信号として供給される。
【００２０】
動き検出回路により現在の画像で大幅な動きが検出された場合、２つのスイッチ４４，４５は、互いに接続される。空間的にフィルタリングされた信号は、スイッチ４４，４５を介してセパレータの対応する出力でクロミナンス信号として提供される。さらに、空間的にフィルタリングされたＣＶＢＳは、スイッチ４４，４５を介して、加算ポイント４２に送出され、オリジナルＣＶＢＳから減算され、差は、セパレータの対応する出力でルミナンス信号として提供される。
【００２１】
図５は、フィールドコムフィルタが２Ｄ空間櫛型フィルタと結合されるとき、動きのないＰＡＬ画像向けのＦx／Ｆy平面における結果的に得られるクロマバンドパスエリアを示す図である。ｘ軸は、水平方向における幅当たりのサイクル（cyc/pw）での周波数Ｆxを表し、ｙ軸は、垂直方向における高さ当たりのサイクル（cyc/pw）での周波数Ｆyを表している。この図は、結合されたフィルタによりクロマであるとしてフィルタ出力された周波数の組み合わせを示している。色付けされたエリアは、−２３４cyc/ph、−７８cyc/ph、７８cyc/ph、２３４cyc/phのＦy周波数で現れる。サークルは、クロマサブキャリアの空間周波数を示しており、ハッチングされた領域は、クロマであるとして誤って解釈された空間周波数を示している。このように、この図の構造は、図１及び図２における図の構造に対応する。２Ｄ空間フィルタ及びフィールドコムフィルタの連続的な適用は、図１及び図２に示される空間櫛型フィルタ及びフィールドコムフィルタの利点を結合する。より詳細には、±７８cyc/phでのカラーエリアは、純粋なフィールドコムフィルタでのフィルタリングで達成されるように、垂直方向におけるハッチングされた部分を有しておらず、同時に、±２３４cyc/phでのカラーエリアは、純粋な空間フィルタリングでのフィルタリングで達成されるように、垂直方向における小さなハッチングされた部分のみを有している。
【００２２】
図６及び図７は、ＰＡＬ向けの空間フィルタとフィールドコムフィルタによる連続的なフィルタリングの作用を更に例示している。クロミナンス信号に対する作用が図６に示され、ルミナンス信号に対する作用が図７に示されている。
【００２３】
図６は、ゼロに等しい時間周波数での０cyc/phと約３１０cyc/phとの間の垂直周波数ｆ、及び２８３．７５cyc/pwの近くでの水平周波数について、３つの異なるクロマパスバンドＨ（ｆ）を示す図である。これは、Ｆx＝２８３．７５cyc/pwの水平周波数での動きのないＰＡＬゾーンプレートについて垂直方向におけるクロマパスバンドに対応している。
【００２４】
クロマパスバンドＨ（ｆ）の理想的な曲線は、Ｘ軸での真っ直ぐな水平ライン、すなわちＨ（ｆ）＝０である。最悪の可能な結果は、真っ直ぐな水平ラインＨ（ｆ）＝１であり、たとえば水平バンドパスとノッチフィルタの組み合わせにより達成される。
【００２５】
クロマパスバンドＨ（ｆ）の第一の示されている曲線６１は、破線で示されており、２Ｄ空間櫛型フィルタのみで得られる曲線であって、したがって図１に対応する。曲線６１は、２つの最大値を有し、第一の最大値は、垂直周波数７８cyc/phにあり、第二の最大値は、２３４cyc/phにある。これらの周波数は、ゾーンプレートが２Ｄ空間櫛型フィルタでフィルタリングされるＰＡＬゾーンプレートにおける色付けされたサークルが位置される正確に垂直周波数である。
【００２６】
クロマパスバンドＨ（ｆ）に関する第二の示されている曲線６２は、点線で示されており、フィールドコムフィルタのみで得られる曲線であって、図２に対応している。曲線６２は、ハイパスの形状である。フィールドコムフィルタは、垂直周波数７８cyc/phでの性能改善を明らかに与える。この改善は、２Ｄ空間櫛型フィルタ及びバンドパス及びノッチフィルタの組み合わせに関して約８．４ｄＢである。垂直周波数２３４cyc/phでは、０．７ｄＢという小さな改善がある。フィールドコムフィルタは、その問題点を有する。フィールドコムフィルタの曲線６２が２Ｄ空間櫛型フィルタの曲線６１を超えるそれぞれの周波数では、フィールドコムフィルタは、２Ｄ空間櫛型フィルタよりも大きなクロスカラーとなる。たとえば、垂直周波数１５６cyc/phで、フィールドコムフィルタは、２Ｄ空間櫛型フィルタと比較して性能において更に悪化する。この垂直周波数１５６cyc/phでは、フィールドコムフィルタは、実際に、バンドパスとノッチフィルタの組み合わせよりも３ｄＢ良好である。したがって、垂直周波数７８cyc/phでのフィールドコムフィルタの利点は、垂直周波数１５６cyc/phでの最悪のパフォーマンスにより部分的にキャンセルされる。
【００２７】
クロマパスバンドＨ（ｆ）の第三の示されている曲線６３は、実線で示されており、２Ｄ空間櫛型フィルタにフィールドコムフィルタが続くときに得られる曲線であり、したがって図５に対応する。２Ｄ空間櫛型フィルタがフィールドコムフィルタに先行するとき、２つの曲線６１及び６２の組み合わせを得ることができる。図６でわかるように、組み合わされたフィルタのパフォーマンスは、クロスカラーに関わる限り、ここのフィルタのパフォーマンスよりも常に良好であるか、又は該パフォーマンスに等しい。
【００２８】
図７は、ゼロに等しい時間周波数で０cyc/phと約３１０cyc/phとの間の垂直周波数ｆ、及び２８３．７５cyc/pwの近くでの水平周波数について、ＰＡＬ向けの３つの異なるルミナンスパスバンドＨ（ｆ）を示す図である。
【００２９】
ルミナンスパスバンドＨ（ｆ）の理想的な曲線は、Ｈ（ｆ）＝１での真っ直ぐな水平ラインである。バンドパスとノッチフィルタとの組み合わせのルミナンス曲線は、Ｈ（ｆ）＝０で真っ直ぐなラインであり、これは確かに望まれないものである、
ルミナンスパスバンドＨ（ｆ）の第一の示されている曲線７１は、破線で示されており、２Ｄ空間櫛型フィルタのみで得られる曲線である。ルミナンスパスバンドＨ（ｆ）の第二の示されている曲線７２は、点線で示されており、フィールドコムフィルタのみで得られる曲線である。ルミナンスパスバンドＨ（ｆ）の第三の示されている曲線７３は、実線で示されており、２Ｄ空間櫛型フィルタとフィールドコムフィルタとの組み合わせで得られる曲線である。
【００３０】
図７で分かるように、２Ｄ空間コムフィルタは、垂直周波数７８cyc/phで全ての解像度を失い、フィールドコムフィルタは、理想的な曲線に比較して０．７ｄＢを失うだけである。垂直周波数１５８cyc/phでは、フィールドコムフィルタは、２Ｄ空間櫛型フィルタに比較して３ｄＢを失う。垂直周波数２３４cyc/phでは、２Ｄ空間櫛型フィルタは、解像度を全く示さず、フィールドコムフィルタは、理想的な曲線に比較して約８ｄＢを失う。ルミナンスパスでは、２Ｄ空間櫛型フィルタのフィールドコムフィルタとの組み合わせは、最良の全体的な結果を示している。
【００３１】
図８は、本発明に係るセパレータの第一の更に詳細な実施の形態を例示するブロック図である。  
図８のセパレータは、ＣＶＢＳの入力を有しており、この入力は、加算ポイント８１の第一の入力に接続されており、第一の２Ｄ空間櫛型フィルタ８２の入力に接続されており、更に３１２ラインの遅延８３の入力に接続されている。第一の２Ｄ空間櫛型フィルタ８２の出力は、フィールドコムフィルタ８４の第一の入力に接続されている。３１２ラインの遅延８３の出力は、第二の２Ｄ空間櫛型フィルタ８５を介して、フィールドコムフィルタ８４の第二の入力に接続されている。フィールドコムフィルタ８４の出力は、一方でクロミナンス信号Ｃについてセパレータの出力に接続されており、他方で加算ポイント８１の第二の入力に接続されている。加算ポイント８１の出力は、ルミナンス信号Ｙについてセパレータの出力に接続されている。２Ｄ空間櫛型フィルタ８２，８５及びフィールドコムフィルタ８２は、従来技術から公知である。
【００３２】
セパレータへのＣＶＢＳ入力は、一方で第一の２Ｄ空間櫛型フィルタ８２により空間的にフィルタリングされ、他方で３１２ラインの遅延８３により始めに遅延され、次いで第二の２Ｄ空間櫛型フィルタ８５により空間的にフィルタリングされる。次いで、空間的にフィルタリングされた信号は、フィールドコムフィルタ８４によりフィールドが除去される。より詳細には、フィールドコムフィルタ８４では、遅延され、空間的にフィルタリングされた信号は、空間的にフィルタリングされた信号から減算され、垂直及び時間的にフィルタリングされた信号となる。空間フィルタリングを先行させることで、フィールドコムフィルタの垂直ワーキングエリアは、２Ｄ空間櫛型フィルタの１つと同じエリアに制限される。
【００３３】
フィールドが除去された信号は、クロミナンス信号Ｃとしてセパレータにより出力される。さらに、フィールドが除かれた信号は、オリジナルのＣＶＢＳから加算ポイント８１で減算されて、ルミナンス信号Ｙを得、セパレータにより出力される。
【００３４】
図８の構造に対する代替において、セパレータのＣＶＢＳ入力は、加算ポイント及び単一の２Ｄ空間櫛型フィルタにのみ接続され、この単一の２Ｄ空間櫛型フィルタの出力は、一方でフィールドコムフィルタの入力にダイレクトに接続され、他方でフィールドコムフィルタの入力に３１２ラインの遅延を介して接続される。これは、要求されるフィルタの数を低減する。
【００３５】
図８の回路は、画像において動きが検出されたとき、フィールドコムフィルタをバイパスすることができるため、図４を参照して記載されたスイッチ及び動き検出器と組み合わされる場合があることを更に述べておく。
【００３６】
さらに、メジアンフィルタのような非線形フィルタのアクション、いわゆる「シグナルライン」ソリューションは、色付けされる垂直の遷移で２Ｄ空間櫛型フィルタのクロスルミナンスの問題に注意するため、提案されるセパレータで実現することができる。
【００３７】
２Ｄ空間櫛型フィルタの出力信号における所定の不完全性、すなわち、いわゆる「ハンギングドット」となるルミナンスアーチファクトを補償することができるように、フィールドコムフィルタが選択されるべきである。さらに、カラーシングルラインに半分飽和されたラインを出力しないように、２Ｄ空間櫛型フィルタが選択されるべきである。これは、この飽和における低減は出力信号に残り、フィールドコムフィルタにより取り消すことができないためである。全体として、最適な結果を得るため、利用される２Ｄ空間櫛型フィルタ及び利用されるフィールドコムフィルタは、２Ｄ空間櫛型フィルタにより出力されるクロミナンス信号における望まれないルミナンスコンポーネントがフィールドコムフィルタにより除かれるように、フィルタの位相チャートと同じ振幅チャートを考慮して、互いに整合されるべきである。
【００３８】
図８におけるように、結果的に得られるきれいなクロミナンス信号は、きれいなルミナンス信号を得るためにＣＶＢＳから減算される場合、ルミナンス信号は、垂直に色付けされる遷移でのクロスルミナンス問題を示す場合がある。したがって、２Ｄ空間櫛型フィルタとフィールドコムフィルタの組み合わせは、クロミナンス信号を得るためにのみ使用され、ルミナンス信号を得るためには使用されない。
【００３９】
図９には、本発明に係るセパレータの対応する実施の形態を説明するブロック図が示されている。  
図９のセパレータは、ＣＶＢＳの入力を有しており、この入力は、加算ポイント９１の入力に接続され、第一のフィールドコムフィルタ９２の第一の入力に接続され、さらに、第一の３１２ラインの遅延９３の入力に接続されている。第一の３１２ラインの遅延９３の出力は、第一のフィールドコムフィルタ９２の第二の入力に接続されており、第一のフィールドコムフィルタ９２の出力は、加算ポイント９１の第二の入力に接続されている。加算ポイントの出力は、ルミナンス信号Ｙのためにセパレータの出力に接続されている。ＣＶＢＳのためのセパレータの入力は、２Ｄ空間櫛型フィルタ９４の入力に同様に接続されている。２Ｄ空間櫛型フィルタ９４の出力は、一方で第二のフィールドコムフィルタ９６の入力に直接接続されており、他方で第二の３１２ラインの遅延９５を介して第二のフィールドコムフィルタ９６の入力に接続されている。第二のフィールドコムフィルタ９６の出力は、クロミナンス信号Ｃについてセパレータの出力に接続されている。
【００４０】
コンポーネント９１〜９３を有するセパレータの部分は、ＣＶＢＳからルミナンス信号を分離するために排他的に提供され、コンポーンネント９４〜９６を有するセパレータの部分は、ＣＶＢＳからクロミナンス信号を分離するために排他的に提供される。
【００４１】
クロミナンス信号は、図８におけるのと同様に得られる。ＣＶＢＳは、２Ｄ空間櫛型フィルタでフィルタリングされる。次いで、空間的にフィルタリングされる信号は、一方で第二のフィールドコムフィルタに直接に提供される。他方で、空間的にフィルタリングされた信号は、第二のフィールドコムフィルタ９６に供給される前に、３１２ラインの遅延９５により始めに遅延される。次いで、２Ｄフィルタリングされた信号は、クロミナンス信号Ｃを得るため、図８を参照して記載されるように、フィールドコムフィルタ９６によりフィールドが除かれる。図８におけるように、フィールドコムフィルタの垂直のワーキングエリアは、２Ｄ空間櫛型フィルタのうちの１つと同じエリアに制限される。
【００４２】
ルミナンス信号を得るため、個別のフィールドコムフィルタ９２が提供される。ＣＶＢＳは、一方でフィールドコムフィルタ９２に直接的に送出され、他方で３１２ラインの遅延９３により遅延後にフィールドコムフィルタ９２に送出される。次いで、ＣＶＢＳ信号は、フィールドコムフィルタ９２によりフィールドが除かれ、すなわち、遅延された信号は、フィールドコムフィルタ９２によりオリジナルのＣＶＢＳ信号から減算され、垂直及び時間的にフィルタリングされた信号が得られる。結果的に得られる信号は、ルミナンス信号Ｙを得るため、加算ポイント９１でオリジナルのＣＶＢＳから減算される。たとえば、１５６cyc/phでの解像度における損失は、図７に示されており、適切な曲線をもつピーキングフィルタを使用することでフィールドコムフィルタのフィルタリング後に補償することができる。かかる曲線は、フィールドコムフィルタの特性が既知であるので計算することができる。
【００４３】
本発明の記載された実施の形態が様々な可能性のある実施の形態の幾つかを構成することを述べておく。本発明の提供された実施の形態のいずれかが多くのやり方で変化及び補足することができる点を更に理解されたい。
【図面の簡単な説明】
【００４４】
【図１】Ｆx／Ｆy平面で空間櫛型フィルタのクロマバンドパスエリアを示す図である。
【図２】Ｆx／Ｆy平面でフィールドコムフィルタのクロマバンドパスエリアを示す図である。
【図３】公知のクロミナンス−ルミナンスセパレータを概念的に説明するブロック図である。
【図４】本発明にかかるクロミナンス−ルミナンスセパレータの実施の形態を概念的に説明するブロック図である。
【図５】Ｆx／Ｆy平面で結合された空間及びフィールドコムフィルタのクロマバンドパスエリアを示す図である。
【図６】２Ｄ空間櫛型フィルタのクロミナンス信号への作用、フィールドコムフィルタのクロミナンス信号への作用、及び結合されたフィルタのクロミナンス信号への作用を説明する図である。
【図７】２Ｄ空間櫛型フィルタのルミナンス信号への作用、フィールドコムフィルタのルミナンス信号への作用、及び結合されたフィルタのルミナンス信号への作用を説明する図である。
【図８】本発明に係る、クロミナンス−ルミナンスセパレータの第一の更に詳細な実施の形態を概念的に説明するブロック図である。
【図９】本発明に係る、クロミナンス−ルミナンスセパレータの第二の更に詳細な実施の形態を概念的に説明するブロック図である。
【図１】
2006513618.tif 000003
【図２】
2006513618.tif 000004
【図３】
2006513618.tif 000005
【図４】
2006513618.tif 000006
【図５】
2006513618.tif 000007
【図６】
2006513618.tif 000008
【図７】
2006513618.tif 000009
【図８】
2006513618.tif 000010
【図９】
2006513618.tif 000011
【国際調査報告】
2006513618.tif 000012
2006513618.tif 000013